(57)【要約】【課題】切り替え専用ボタンを備えたリモコン装置を用いることなくテレビ画像の１画面表示から２画面表示への切り替えを容易に操作し得る表示制御装置を提供する。【解決手段】１画面表示と２画面表示とを切り替えて実行する主制御部１９を備えた表示制御装置であって、各チャンネルにそれぞれ対応付けられた複数のチャンネルボタンを有するリモコン装置３から各チャンネルボタンの操作時に出力される操作信号Ｓｏを受信する受信部１８を備え、主制御部１９は、１画面を表示させている状態において表示させているチャンネルのチャンネルボタンに対応する操作信号Ｓｏが受信部１８によって受信されたときに、そのチャンネルのテレビ画像と、そのテレビ画像を表示させる直前に１画面表示において表示させていたチャンネルのテレビ画像とを表示部１１に２画面表示させる。【選択図】図１
2005136704.tif 000002
【特許請求の範囲】
【請求項１】
１つのチャンネルのテレビ画像を表示部の表示画面内に表示させる１画面表示と、２つのチャンネルの各テレビ画像を前記表示画面内に表示させる２画面表示とを切り替えて実行する制御部を備えた表示制御装置であって、
各チャンネルにそれぞれ対応付けられた複数のチャンネルボタンを有するリモコン装置から当該各チャンネルボタンの操作時に出力される操作信号を受信する受信部を備え、
前記制御部は、前記１画面を表示させている状態において当該表示させている前記チャンネルのチャンネルボタンに対応する操作信号が前記受信部によって受信されたときに、当該チャンネルの前記テレビ画像と、当該テレビ画像を表示させる直前に前記１画面表示において表示させていた前記チャンネルの前記テレビ画像とを２画面表示させる表示制御装置。
【請求項２】
前記制御部は、前記２画面を表示させている状態において当該表示させている両チャンネルのいずれか一方に対応付けられたチャンネルボタンに対応する操作信号が前記受信部によって受信されたときに当該一方のチャンネルの前記テレビ画像を１画面表示させる請求項１記載の表示制御装置。
【請求項３】
前記制御部は、前記２画面を表示させている状態において当該表示させている両チャンネル以外の他のチャンネルのチャンネルボタンに対応する操作信号が前記受信部によって受信されたときに、当該他のチャンネルの前記テレビ画像を当該表示させている両テレビ画像のいずれか一方に代えて表示させる請求項１または２記載の表示制御装置。
【請求項４】
前記各チャンネルの放送信号を抽出可能な第１および第２チューナを備え、
前記制御部は、前記第１および第２チューナのいずれか一方によって抽出された前記放送信号に基づいて前記テレビ画像を１画面表示させると共に、前記第１および第２チューナによってそれぞれ抽出された前記放送信号に基づいて前記各テレビ画像を２画面表示させる請求項１から３のいずれかに記載の表示制御装置。
【請求項５】
請求項１から４のいずれかに記載の表示制御装置と、前記表示部とを備えているテレビジョン装置。
【発明の詳細な説明】
【技術分野】
【０００１】
本発明は、１画面表示と２画面表示とを切り替えて実行する表示制御装置およびテレビジョン装置に関するものである。
【背景技術】
【０００２】
この種のテレビジョン装置として、特開平６−３８１３０号公報には、１画面表示と２画面表示との切り替えを可能に構成された２画面表示テレビジョン受信機（以下「テレビジョン受信機」ともいう）が開示されている。このテレビジョン受信機は、同公報中の図１に示すように、２画面表示の際における２つの映像の表示位置を左右に入れ替えるためのボタンＬ，Ｒやチャンネル選択用のボタンを備え、これらのボタンの操作に応じた操作信号をシステム制御部１９に出力する。システム制御部１９は、操作部１８から出力された操作信号に従ってチャンネル／入力選択部１１，１２、２画面処理部１３および表示選択部１４などを制御することにより、１画面表示と２画面表示との切り替えを制御することが可能になっている。
【特許文献１】特開平６−３８１３０号公報（第３−４頁、第１図）
【発明の開示】
【発明が解決しようとする課題】
【０００３】
ところが、この従来のテレビジョン受信機には、以下の問題点がある。すなわち、このテレビジョン受信機では、ボタンＬ，Ｒを備えたテレビジョン受信機専用の操作部１８を操作することによって１画面表示と２画面表示との切り替えが行われている。一方、近年におけるＶＴＲ（Videotape Recorder）等のＡＶ（audio visual）装置に備えられているリモコン装置は、テレビジョン装置等の他の装置に対するチャンネル切り替え操作などが可能なマルチリモコン機能を有している。このため、例えば、この種のＡＶ装置をテレビジョン装置に接続して使用する際には、テレビジョン装置のリモコン装置を用いることなく、ＡＶ装置のリモコン装置のみを用いてこれらの装置の双方を操作することが可能になっている。しかしながら、この従来のテレビジョン受信機では、１画面表示と２画面表示との切り替え操作をするためには切り替え専用のボタンＬ，Ｒを備えた専用の操作部１８が必要なため、ＡＶ装置のリモコン装置のみを用いて１画面表示と２画面表示との切り替え操作をすることができないという問題点がある。
【０００４】
本発明は、かかる問題点に鑑みてなされたものであり、切り替え専用ボタンを備えたリモコン装置を用いることなくテレビ画像の１画面表示から２画面表示への切り替えを容易に操作し得る表示制御装置およびテレビジョン装置を提供することを主目的とする。
【課題を解決するための手段】
【０００５】
上記目的を達成すべく本発明に係る表示制御装置は、１つのチャンネルのテレビ画像を表示部の表示画面内に表示させる１画面表示と、２つのチャンネルの各テレビ画像を前記表示画面内に表示させる２画面表示とを切り替えて実行する制御部を備えた表示制御装置であって、各チャンネルにそれぞれ対応付けられた複数のチャンネルボタンを有するリモコン装置から当該各チャンネルボタンの操作時に出力される操作信号を受信する受信部を備え、前記制御部は、前記１画面を表示させている状態において当該表示させている前記チャンネルのチャンネルボタンに対応する操作信号が前記受信部によって受信されたときに、当該チャンネルの前記テレビ画像と、当該テレビ画像を表示させる直前に前記１画面表示において表示させていた前記チャンネルの前記テレビ画像とを２画面表示させる。
【０００６】
この表示制御装置によれば、制御部が、１画面を表示させている状態において表示させているチャンネルのチャンネルボタンに対応する操作信号が受信部によって受信されたときに、そのチャンネルのテレビ画像と、そのテレビ画像を表示させる直前に１画面表示において表示させていたチャンネルのテレビ画像とを２画面表示させることにより、テレビ画像の１画面表示から２画面表示への切り替えを専用の切り替えボタンを操作することなくチャンネルボタンの操作だけで容易に行うことができる。したがって、例えば、ＡＶ装置を表示制御装置に接続して使用する使用形態において、切り替え専用ボタンを備えた表示制御装置専用のリモコン装置を用いることなく、例えば、ＡＶ装置のリモコン装置のみを用いてテレビ画像を１画面表示から２画面表示に容易に切り替えることができる。
【０００７】
また、本発明に係る表示制御装置は、上記の表示制御装置において、前記制御部は、前記２画面を表示させている状態において当該表示させている両チャンネルのいずれか一方に対応付けられたチャンネルボタンに対応する操作信号が前記受信部によって受信されたときに当該一方のチャンネルの前記テレビ画像を１画面表示させる。
【０００８】
この表示制御装置によれば、制御部が、２画面を表示させている状態において表示させている両チャンネルのいずれか一方に対応付けられたチャンネルボタンに対応する操作信号が受信部によって受信されたときに、そのいずれか一方のチャンネルのテレビ画像を１画面表示させることにより、２画面表示から１画面表示への切り替えについてもチャンネルボタンだけで容易に操作することができる。
【０００９】
また、本発明に係る表示制御装置は、上記の表示制御装置において、前記制御部は、前記２画面を表示させている状態において当該表示させている両チャンネル以外の他のチャンネルのチャンネルボタンに対応する操作信号が前記受信部によって受信されたときに、当該他のチャンネルの前記テレビ画像を当該表示させている両テレビ画像のいずれか一方に代えて表示させる。
【００１０】
この表示制御装置によれば、制御部が、テレビ画像の２画面を表示させている状態において表示させている両チャンネル以外の他のチャンネルのチャンネルボタンに対応する操作信号が受信部によって受信されたときに、その他のチャンネルのテレビ画像を２画面表示させている両テレビ画像のいずれか一方に代えて表示させることにより、ユーザーは、２画面表示状態において、チャンネルボタンを操作するだけで２つのテレビ画像のうちの一方を観賞しつつ他方を他のチャンネルのテレビ画像に切り替えて表示させることができる。
【００１１】
さらに、本発明に係る表示制御装置は、上記の表示制御装置において、前記各チャンネルの放送信号を抽出可能な第１および第２チューナを備え、前記制御部は、前記第１および第２チューナのいずれか一方によって抽出された前記放送信号に基づいて前記テレビ画像を１画面表示させると共に、前記第１および第２チューナによってそれぞれ抽出された前記放送信号に基づいて前記各テレビ画像を２画面表示させる。
【００１２】
この表示制御装置によれば、各チャンネルの放送信号を抽出可能な第１および第２チューナを備えたことにより、テレビ画像を２画面表示する際に、１つのチューナで２つのチャンネルの放送信号を抽出する構成とは異なり、２つのテレビ画像をそれぞれ動画像で表示することができる。
【００１３】
さらに、本発明に係るテレビジョン装置は、上記の表示制御装置と、前記表示部とを備えている。
【００１４】
このテレビジョン装置によれば、上記の表示制御装置と、上記の表示部とを備えたことにより、上記の表示制御装置が有する効果と同様の効果を実現することができる。
【発明を実施するための最良の形態】
【００１５】
以下、本発明に係る表示制御装置およびテレビジョン装置の最良の形態について、添付図面を参照して説明する。図１に示すテレビジョン装置１は、一例として、スクリーンパネルの背面側から投射光を投射することによって画像を表示するテレビジョン装置であって、装置本体２およびリモコン装置３を備えている。装置本体２は、表示部１１、表示制御部１２、選局処理部１３、第１チューナ１４、第１画像信号処理部１５、第２チューナ１６、第２画像信号処理部１７、受信部１８および主制御部１９を備えて構成されている。この場合、表示制御部１２、選局処理部１３、第１チューナ１４、第１画像信号処理部１５、第２チューナ１６、第２画像信号処理部１７、受信部１８および主制御部１９によって本発明に係る表示制御装置が構成される。なお、このテレビジョン装置１は、実際には、音声出力部を備えているが、本発明についての理解を容易とするために、その図示および説明を省略する。
【００１６】
表示部１１は、図１に示すように、光学エンジン２１およびスクリーンパネル２２を備えて構成されている。光学エンジン２１は、例えば、装置本体２の内部における底面側に配設されて、表示制御部１２から出力された表示用画像信号Ｓｅに基づいて光変調した投射光Ｌをスクリーンパネル２２の背面側に向けて投射する。具体的には、光学エンジン２１は、例えば、光源ランプと、光源ランプからの白色光を画像表示可能な投射光Ｌに変調するための変調手段（一例として、液晶パネル、入射側偏光板および射出側偏光板を備えた液晶ライトバルブ）と、投射光Ｌを拡大して投射する投射レンズ（いずれも図示せず）とを備えて構成されている。なお、このテレビジョン装置１では、実際には、光学エンジン２１から投射された投射光Ｌが反射ミラーによって反射されてスクリーンパネル２２に投射されるが、本発明についての理解を容易とするために、その図示および説明を省略する。スクリーンパネル２２は、光学エンジン２１から投射された投射光Ｌを受光して拡散または平行光に変換することにより、各種画像を表示する。
【００１７】
表示制御部１２は、主制御部１９の制御下で、第１画像信号処理部１５から出力された画像データＤｐを入力して、例えば、図２に示すように、テレビ画像Ｐ１（以下、画像の内容を区別しないときには「テレビ画像Ｐ」ともいう）を１画面表示するための表示用画像信号Ｓｅを生成して光学エンジン２１に出力する。また、表示制御部１２は、主制御部１９の制御下で、第１画像信号処理部１５および第２画像信号処理部１７から出力された画像データＤｐを入力して、例えば、図４に示すように、テレビ画像Ｐ１，Ｐ２を２画面表示するための表示用画像信号Ｓｅを生成して光学エンジン２１に出力する。選局処理部１３は、主制御部１９の制御下で、制御信号Ｓｃ２を出力することにより、第１チューナ１４および第２チューナ１６による放送信号Ｓｂの抽出や、第１画像信号処理部１５および第２画像信号処理部１７による画像データＤｐの出力を制御する。
【００１８】
第１チューナ１４および第２チューナ１６は、選局処理部１３から出力された制御信号Ｓｃ２に従い、その制御信号Ｓｃ２に指定されたチャンネルの放送信号Ｓｂを図外のアンテナを介して受信した放送波から抽出して、第１画像信号処理部１５および第２画像信号処理部１７にそれぞれ出力する。第１画像信号処理部１５および第２画像信号処理部１７は、例えば、ＩＦ回路、画像検波回路およびＡ／Ｄ変換部（いずれも図示せず）などを備えて構成され、第１チューナ１４および第２チューナ１６によって出力された放送信号Ｓｂから画像信号を抽出すると共に、その画像信号をＡ／Ｄ変換して画像データＤｐを出力する。受信部１８は、リモコン装置３から出力された操作信号Ｓｏを受信して主制御部１９に転送する。
【００１９】
主制御部１９は、本発明における制御部に相当し、制御信号Ｓｃ１を出力することによって表示制御部１２および選局処理部１３を統括的に制御する。また、主制御部１９は、受信部１８から出力された操作信号Ｓｏに基づき、１つのチャンネルのテレビ画像Ｐを表示部１１に１画面で表示させる１画面表示と、２つのチャンネルのテレビ画像Ｐを表示部１１に２画面で表示させる２画面表示とを切り替えて実行する。この場合、主制御部１９は、例えば、図２に示すように、テレビ画像Ｐ１が１画面表示されている状態において、テレビ画像Ｐ１のチャンネルＣＨ１を除く他のチャンネル（例えばチャンネルＣＨ２）に対応付けられたリモコン装置３のチャンネルボタン３１ａ（同図に示す「２」の数字が付されたボタン）が操作されて、そのチャンネルボタン３１ａに対応する操作信号Ｓｏが受信部１８によって受信されたときには、チャンネルＣＨ２のテレビ画像Ｐ２を図３に示すように１画面表示させる制御信号Ｓｃ１を出力する。また、主制御部１９は、同図に示すように、チャンネルＣＨ２のテレビ画像Ｐ２が１画面表示されている状態において、チャンネルＣＨ２に対応付けられたチャンネルボタン３１ａが操作されて、そのチャンネルボタン３１ａに対応する操作信号Ｓｏが受信部１８によって受信されたときには、テレビ画像Ｐ２が表示される直前に１画面表示において表示されていたテレビ画像Ｐ（この場合、テレビ画像Ｐ１）とテレビ画像Ｐ２とを図４に示すように、２画面表示させる制御信号Ｓｃ１を出力する。
【００２０】
また、主制御部１９は、例えば、図４に示すように、チャンネルＣＨ１のテレビ画像Ｐ１とチャンネルＣＨ２のテレビ画像Ｐ２とが２画面表示されている状態において、チャンネルＣＨ１，ＣＨ２を除く例えばチャンネルＣＨ３に対応付けられたチャンネルボタン３１ａ（同図に示す「３」の数字が付されたボタン）が操作されて、そのチャンネルボタン３１ａに対応する操作信号Ｓｏが受信部１８によって受信されたときには、図５に示すように、テレビ画像Ｐ１に代えてチャンネルＣＨ３のテレビ画像Ｐ３をテレビ画像Ｐ２と共に２画面表示させる制御信号Ｓｃ１を出力する。さらに、主制御部１９は、例えば、テレビ画像Ｐ２とテレビ画像Ｐ３とが同図に示すように２画面表示されている状態において、チャンネルＣＨ２，ＣＨ３のいずれか一方（例えばチャンネルＣＨ３）に対応付けられたチャンネルボタン３１ａが操作されて、そのチャンネルボタン３１ａに対応する操作信号Ｓｏが受信部１８によって受信されたときには、チャンネルＣＨ３のテレビ画像Ｐ３を図６に示すように１画面表示させる制御信号Ｓｃ１を出力する。
【００２１】
リモコン装置３は、図２に示すように、装置本体２とは別体に形成されている。また、リモコン装置３は、例えば１２個のチャンネルボタン３１ａ，３１ａ・・および電源ボタン３１ｂなどの各種操作ボタンが配列されて構成され、これらの操作ボタンが操作されたときに、各操作ボタンに対応する操作信号Ｓｏを赤外線信号に変換して出力する。この場合、チャンネルボタン３１ａ，３１ａ・・は、例えば、テレビ放送のチャンネルＣＨ１〜ＣＨ１２にそれぞれ対応付けられている。
【００２２】
次に、テレビジョン装置１の全体的な動作について、図面を参照して説明する。このテレビジョン装置１では、リモコン装置３の電源ボタン３１ｂが操作された際に、光学エンジン２１に電源が供給されて、光源ランプが白色光を発光する。また、第１チューナ１４が、電源切断の直前に選局されていたチャンネル（例えばチャンネルＣＨ１）の放送信号Ｓｂを抽出して出力する。次に、第１画像信号処理部１５が、第１チューナ１４によって出力された放送信号Ｓｂから画像信号を抽出して画像データＤｐを生成して表示制御部１２に出力する。次いで、表示制御部１２が、第１画像信号処理部１５から出力された画像データＤｐに基づいて表示用画像信号Ｓｅを生成して光学エンジン２１に出力する。これに応じて、光学エンジン２１の変調手段が光源ランプからの白色光を表示用画像信号Ｓｅに基づく画像表示用の投射光Ｌに変調し、投射レンズが投射光Ｌを拡大して投射する。これにより、投射光Ｌがスクリーンパネル２２に投射されて、図２に示すように、チャンネルＣＨ１のテレビ画像Ｐ１がスクリーンパネル２２に１画面表示される。
【００２３】
一方、テレビ画像Ｐ１に代えて例えばチャンネルＣＨ２のテレビ画像Ｐ２を表示させる際には、リモコン装置３におけるチャンネルＣＨ２に対応付けられたチャンネルボタン３１ａ（図２に示す「２」の数字が付されたチャンネルボタン３１ａ）を操作する。この際に、リモコン装置３が操作されたチャンネルボタン３１ａに対応する操作信号Ｓｏを出力し、受信部１８がその操作信号Ｓｏを受信して主制御部１９に転送する。次いで、主制御部１９は、操作信号Ｓｏに従い、テレビ画像Ｐ２を１画面表示させる制御信号Ｓｃ１を選局処理部１３および表示制御部１２に出力する。続いて、選局処理部１３は、制御信号Ｓｃ１に従ってチャンネルＣＨ２の放送信号Ｓｂを抽出させる制御信号Ｓｃ２を第２チューナ１６に出力する。これに応じて、第１チューナ１４がチャンネルＣＨ２の放送信号Ｓｂを抽出して出力し、第１画像信号処理部１５がチャンネルＣＨ２の放送信号Ｓｂから画像信号を抽出して画像データＤｐを生成して表示制御部１２に出力する。次に、表示制御部１２が画像データＤｐに基づく表示用画像信号Ｓｅを出力し、光学エンジン２１が表示用画像信号Ｓｅに基く投射光Ｌを投射することにより、図３に示すように、チャンネルＣＨ２のテレビ画像Ｐ２がスクリーンパネル２２に１画面表示される。
【００２４】
次に、例えば、図３に示すようにテレビ画像Ｐ２が１画面表示された状態からテレビ画像Ｐ２と他のテレビ画像Ｐとを２画面表示する際には、テレビ画像Ｐ２のチャンネルＣＨ２に対応付けられたチャンネルボタン３１ａ（図２に示す「２」の数字が付されたボタン）を操作する。この際に、リモコン装置３がそのチャンネルボタン３１ａに対応する操作信号Ｓｏを出力し、受信部１８がその操作信号Ｓｏを受信して主制御部１９に転送する。これに応じて、主制御部１９は、テレビ画像Ｐ２が表示される直前に１画面表示において表示されていたテレビ画像Ｐ（この場合、テレビ画像Ｐ１）とテレビ画像Ｐ２とを２画面表示させる制御信号Ｓｃ１を表示制御部１２および選局処理部１３に出力する。次いで、選局処理部１３は、制御信号Ｓｃ１に従い、チャンネルＣＨ１の放送信号Ｓｂを抽出させる制御信号Ｓｃ２を第２チューナ１６に出力する。また、選局処理部１３は、例えば画像データＤｐを横方向に圧縮して出力する旨を指示する制御信号Ｓｃ２を第１画像信号処理部１５および第２画像信号処理部１７に出力する。
【００２５】
この際に、第１チューナ１４は、チャンネルＣＨ２の放送信号Ｓｂを引き続き抽出して出力する。また、第２チューナ１６は、制御信号Ｓｃ２に従ってチャンネルＣＨ１の放送信号Ｓｂを抽出して出力する。次に、第１画像信号処理部１５は、制御信号Ｓｃ２に従い、チャンネルＣＨ２の放送信号Ｓｂから抽出した画像信号を圧縮処理して、テレビ画像Ｐ２を例えば横方向に１／２に圧縮して表示させるための画像データＤｐを生成して出力する。また、第２画像信号処理部１７は、制御信号Ｓｃ２に従い、チャンネルＣＨ１の放送信号Ｓｂから抽出した画像信号を圧縮処理して、テレビ画像Ｐ１を例えば横方向に１／２に圧縮して表示させるための画像データＤｐを生成して出力する。次いで、表示制御部１２は、第１画像信号処理部１５および第２画像信号処理部１７からそれぞれ出力された各画像データＤｐに基づき、図４に示すテレビ画像Ｐ１，Ｐ２を２画面表示させるための表示用画像信号Ｓｅを生成して光学エンジン２１に出力する。次に、光学エンジン２１は、表示用画像信号Ｓｅに基く投射光Ｌを投射する。これにより、同図に示すように、テレビ画像Ｐ１，Ｐ２がスクリーンパネル２２に２画面表示される。
【００２６】
次に、例えば、図４に示すテレビ画像Ｐ１，Ｐ２の内のテレビ画像Ｐ１をチャンネルＣＨ３のテレビ画像Ｐ３に切り替えて表示させる際には、チャンネルＣＨ３に対応付けられたチャンネルボタン３１ａ（図２に示す「３」の数字が付されたボタン）を操作する。この際に、リモコン装置３が操作されたチャンネルボタン３１ａに対応する操作信号Ｓｏを出力し、受信部１８がその操作信号Ｓｏを受信して主制御部１９に転送する。これに応じて、主制御部１９は、テレビ画像Ｐ３とテレビ画像Ｐ２とを２画面表示させる制御信号Ｓｃ１を表示制御部１２および選局処理部１３に出力する。次いで、選局処理部１３は、制御信号Ｓｃ１に従い、チャンネルＣＨ３の放送信号Ｓｂを抽出させる制御信号Ｓｃ２を第２チューナ１６に出力する。
【００２７】
この際に、第１チューナ１４は、チャンネルＣＨ２の放送信号Ｓｂを引き続き抽出して出力する。また、第２チューナ１６は、制御信号Ｓｃ２に従ってチャンネルＣＨ３の放送信号Ｓｂを抽出して出力する。続いて、第１画像信号処理部１５は、チャンネルＣＨ２の放送信号Ｓｂから抽出した画像信号を圧縮処理して、テレビ画像Ｐ２を例えば横方向に１／２に圧縮して表示させるための画像データＤｐを引き続き生成して出力する。また、第２画像信号処理部１７は、チャンネルＣＨ３の放送信号Ｓｂから抽出した画像信号を圧縮処理して、テレビ画像Ｐ３を例えば横方向に１／２に圧縮して表示させるための画像データＤｐを生成して出力する。次いで、表示制御部１２は、第１画像信号処理部１５および第２画像信号処理部１７からそれぞれ出力された各画像データＤｐに基づき、図５に示すテレビ画像Ｐ２，Ｐ３を２画面表示させるための表示用画像信号Ｓｅを生成して光学エンジン２１に出力する。続いて、光学エンジン２１は、表示用画像信号Ｓｅに基く投射光Ｌを投射する。これにより、同図に示すように、テレビ画像Ｐ１に代わってテレビ画像Ｐ３がテレビ画像Ｐ２と共にスクリーンパネル２２に２画面表示される。
【００２８】
次に、例えば、図５に示すテレビ画像Ｐ２，Ｐ３の内のテレビ画像Ｐ３を１画面表示させる際には、チャンネルＣＨ３に対応付けられたチャンネルボタン３１ａを再度操作する。この際に、リモコン装置３が操作されたチャンネルボタン３１ａに対応する操作信号Ｓｏを出力し、受信部１８がその操作信号Ｓｏを受信して主制御部１９に転送する。これに応じて、主制御部１９は、チャンネルＣＨ３のテレビ画像Ｐ３を１画面表示させる制御信号Ｓｃ１を表示制御部１２および選局処理部１３に出力する。次いで、選局処理部１３は、制御信号Ｓｃ１に従い、チャンネルＣＨ２の放送信号Ｓｂの抽出を停止させる制御信号Ｓｃ２を第１チューナ１４に出力する。また、選局処理部１３は、画像データＤｐを圧縮せずに出力する旨を指示する制御信号Ｓｃ２を第２画像信号処理部１７に出力する。
【００２９】
続いて、第１チューナ１４は、制御信号Ｓｃ２に従ってチャンネルＣＨ２の放送信号Ｓｂの抽出を停止する。この際に、第１画像信号処理部１５は、第１チューナ１４による放送信号Ｓｂの抽出（出力）が停止されるため、画像データＤｐの生成（出力）を停止する。また、第２チューナ１６は、チャンネルＣＨ３の放送信号Ｓｂを引き続き抽出して出力し、第２画像信号処理部１７は、制御信号Ｓｃ２に従ってチャンネルＣＨ３の放送信号Ｓｂから画像信号を抽出して圧縮処理することなく画像データＤｐを生成して表示制御部１２に出力する。続いて、表示制御部１２が第２画像信号処理部１７から出力された画像データＤｐに基づく表示用画像信号Ｓｅを出力し、光学エンジン２１が表示用画像信号Ｓｅに基づく投射光Ｌを投射することにより、図６に示すように、テレビ画像Ｐ３がスクリーンパネル２２に１画面表示される。なお、上記したリモコン装置３に代えて、例えば、ＶＴＲ等のＡＶ装置に備えられているマルチリモコン機能を有するリモコン装置を用いることもできる。この場合、受信部１８は、このＡＶ装置のリモコン装置からチャンネルボタンの操作時に出力される操作信号を受信し、主制御部１９は、その操作信号に従って上記した各種の制御信号Ｓｃ１を出力する。
【００３０】
このように、このテレビジョン装置１によれば、主制御部１９が、テレビ画像Ｐを１画面表示させている状態においてそのテレビ画像Ｐのチャンネルに対応付けられたチャンネルボタン３１ａが操作されたときに、そのテレビ画像Ｐと、そのテレビ画像Ｐを表示させる直前に１画面表示において表示させていたテレビ画像Ｐとを２画面表示させることにより、テレビ画像Ｐの１画面表示から２画面表示への切り替えを専用の切り替えボタンを操作することなくチャンネルボタン３１ａの操作だけで容易に行うことができる。したがって、例えば、ＡＶ装置をテレビジョン装置に接続して使用するような使用形態において、切り替え専用ボタンを備えたリモコン装置を用いることなく、例えば、ＡＶ装置のリモコン装置のみを用いてテレビ画像Ｐを１画面表示から２画面表示に容易に切り替えることができる。
【００３１】
また、主制御部１９が、テレビ画像Ｐを２画面表示している状態において２画面表示させている各テレビ画像Ｐのいずれか一方のチャンネルに対応付けられたチャンネルボタン３１ａが操作されたときに、そのチャンネルのテレビ画像Ｐを１画面表示させることにより、２画面表示から１画面表示への切り替えについてもチャンネルボタン３１ａだけで容易に操作することができる。
【００３２】
また、主制御部１９が、テレビ画像Ｐを２画面表示させている状態において２画面表示させている各テレビ画像Ｐのチャンネルを除く他のチャンネルに対応付けられたチャンネルボタン３１ａが操作されたときに、他のチャンネルのテレビ画像Ｐを２画面表示させている各テレビ画像Ｐのいずれか一方に代えて２画面表示させることにより、２画面表示状態において、ユーザーは、チャンネルボタン３１ａを操作するだけで２つのテレビ画像Ｐのうちの一方を観賞しつつ他方を他のチャンネルのテレビ画像Ｐに切り替えて表示させることができる。
【００３３】
また、第１チューナ１４および第２チューナ１６の２つのチューナを備えたことにより、テレビ画像Ｐを２画面表示する際に、１つのチューナで２つのチャンネルの放送信号Ｓｂを抽出する構成とは異なり、２つのテレビ画像Ｐをそれぞれ動画像で表示することができる。
【００３４】
なお、本発明は、上記の構成に限定されない。例えば、光学エンジン２１およびスクリーンパネル２２を備えて表示部１１を構成した例について上記したが、ＣＲＴ、液晶表示パネルおよびプラズマディスプレイなどを表示部として採用することもできる。また、表示部を備えることなく外部の表示装置にテレビ画像Ｐを１画面表示（または２画面表示）させる表示制御装置に本発明を適用することもできる。また、第１チューナ１４および第２チューナ１６を備え、２画面表示の際に、両チューナ１４，１６に対して２つのチャンネルの放送信号Ｓｂをそれぞれ抽出させる構成例について上記したが、例えば、１つのチューナに対して２つのチャンネルの放送信号Ｓｂを短周期で切り替えて交互に抽出させる構成を採用することもできる。
【図面の簡単な説明】
【００３５】
【図１】テレビジョン装置１の構成を示すブロック図である。
【図２】テレビジョン装置１の正面図である。
【図３】テレビ画像Ｐ２を１画面表示させている表示画面図である。
【図４】テレビ画像Ｐ１，Ｐ２を２画面表示させている表示画面図である。
【図５】テレビ画像Ｐ２，Ｐ３を２画面表示させている表示画面図である。
【図６】テレビ画像Ｐ３を１画面表示させている表示画面図である。
【符号の説明】
【００３６】
１  テレビジョン装置、３  リモコン装置、１１  表示部、１４  第１チューナ、１６  第２チューナ、１８  受信部、１９  主制御部、２２  スクリーンパネル、３１ａ  チャンネルボタン、Ｐ１，Ｐ２，Ｐ３  テレビ画像、Ｓｂ  放送信号、Ｓｏ  操作信号
【図１】
2005136704.tif 000003
【図２】
2005136704.tif 000004
【図３】
2005136704.tif 000005
【図４】
2005136704.tif 000006
【図５】
2005136704.tif 000007
【図６】
2005136704.tif 000008